(57)【要約】【課題】  庇装置の光透過率を使用環境や状況に応じて簡単に切替えることができるようにし、例えば夏場と冬場で陽射しの強さや長さの違いに応じて遮光機能を的確に切替え可能とする。【解決手段】  建物の外壁Ｗに、その外側方に向かって張出す庇本体３を固定してなる庇装置において、前記庇本体３は、透光性を有して平板状に形成され、その庇本体３には、通電制御により光透過率を任意に変更可能な液晶フィルムＬが一体的に接合される。【選択図】  図１
2010007324.tif 000002
【特許請求の範囲】
【請求項１】
建物の外壁（Ｗ）に、その外側方に向かって張出す庇本体（３）を固定してなる庇装置において、
前記庇本体（３）は、透光性を有して平板状に形成され、
その庇本体（３）には、通電制御により光透過率を任意に変更可能な液晶フィルム（Ｌ）が一体的に接合されることを特徴とする、庇装置。
【請求項２】
前記庇本体（３）は、相互に重合させた二枚の透光性板材（３Ａ，３Ｂ）の周縁部（３Ａｅ，３Ｂｅ）をその全周に亘り一体に結着して構成され、
その両板材（３Ａ，３Ｂ）の相対向面間には、前記周縁部（３Ａｅ，３Ｂｅ）よりも内方側で、その両板材（３Ａ，３Ｂ）よりも小さく形成された前記液晶フィルム（Ｌ）が挟着されることを特徴とする、請求項１に記載の庇装置。
【発明の詳細な説明】
【技術分野】
【０００１】
本発明は、建物の外壁に、その外側方に向かって張出す庇本体を固定してなる庇装置にに関する。
【背景技術】
【０００２】
従来の庇装置においては、その庇本体として、光を完全に遮断するか或いは殆ど通さない材料で形成されていて強い陽射しに対し有効な製品と、透明な材料或いは光を僅かに通す材料で形成されていて雨除け機能を主体とし、陽射しはできるだけ遮らないようにした製品とがそれぞれ知られている。
【発明の開示】
【発明が解決しようとする課題】
【０００３】
従来の庇装置においては、前述の如く高い遮光機能を有し陽射し対策を主眼とした製品と、雨除け対策を主眼とし陽光はできるだけとり込むようにした製品とがあり、その両方の製品の特質を併せ持つ庇装置は存在しなかった。従って、例えば前者の製品を建物に設置した場合には、夏場の強い陽射しを遮る上では有効であっても、陽射しの弱い冬場や日照の少ない雪国において陽光を建物内に十分に取り入れることができない等の問題があり、また後者の製品を建物に設置した場合には、冬場や日照の少ない雪国において陽光を建物内に十分に取り入れることができても、夏場の強い陽射しを十分に遮断することができない等の問題があった。
【０００４】
本発明は、斯かる事情に鑑みてなされたものであり、使用環境や状況に応じて光透過機能を任意に調整可能として従来の前記問題を簡単な構造で解決することができる庇装置を提供することを目的としている。
【課題を解決するための手段】
【０００５】
上記目的を達成するために請求項１の発明は、建物の外壁に、その外側方に向かって張出す庇本体を固定してなる庇装置において、前記庇本体は、透光性を有して平板状に形成され、その庇本体には、通電制御により光透過率を任意に変更可能な液晶フィルムが一体的に接合されることを特徴とする。
【０００６】
また請求項２の発明は、請求項１の前記特徴に加えて、前記庇本体が、相互に重合させた二枚の透光性板材の周縁部をその全周に亘り一体に結着して構成され、その両板材の相対向面間には、前記周縁部よりも内方側で、その両板材よりも小さく形成された前記液晶フィルムが挟着されることを特徴とする。
【発明の効果】
【０００７】
以上のように本発明によれば、庇本体は、透光性を有する平板より構成され、その庇本体には、通電制御により光透過率を任意に変更可能な液晶フィルムが一体的に接合されるので、通電制御により上記液晶フィルムの光透過率を単に変更するだけで、単一の庇装置の遮光性能（光透過率）を使用環境や状況に応じて簡単に切替えることができ、たとえば夏場と冬場で陽射しの強さや長さの違いに応じて遮光性能を容易且つ的確に切替え可能であり、また夜間に階上からの視線を遮断可能としてプライバシー保護にも有効である。その上、液晶フィルムを平板状の庇本体に一体的に接合したため、庇本体をガラスで形成したような場合でも庇本体が一気に破断しにくくなり、安全面でも有効である。
【０００８】
また特に請求項２の発明によれば、庇本体が、相互に重合させた二枚の透光性板材の周縁部をその全周に亘り一体に結着して構成され、その両板材の相対向面間には、前記周縁部よりも内方側で、その両板材よりも小さく形成された液晶フィルムが挟着されるので、液晶フィルムを雨や埃等から有効に遮断することができると共に、他物との衝突から保護することができ、液晶フィルムの耐久性向上が図られる。
【発明を実施するための最良の形態】
【０００９】
本発明の実施の形態を、添付図面に例示した本発明の実施例に基づいて以下に具体的に説明する。
【００１０】
添付図面において、図１〜図３は本発明の一実施例に係る庇装置を示すものであって、図１は、庇装置の要部縦断面図（図２の１−１線拡大断面図）、図２は、庇装置の正面図（図１の２矢視図）、図３は、庇装置の平面図（図１の３矢視図）である。
【００１１】
先ず、図１〜図３において、建物の外壁Ｗには、透明なガラス１ａを嵌め込んだ窓扉１で開閉される窓２が設けられ、更にその窓２の上側には、該窓２へ上方より差し込む陽光の光量を調整可能な庇装置Ａが設けられる。
【００１２】
この庇装置Ａは、建物の外壁Ｗよりその外側方に向かって略水平に張出す庇本体３と、この庇本体３を外壁Ｗに着脱可能に固定、支持する固定装置Ｓとを備える。
【００１３】
前記庇本体３は、透明な強化ガラス材で矩形の平板状に形成されており、その庇本体３には、通電制御により光透過性能（即ち光透過率）を任意に変更可能な液晶フィルムＬが一体的に接合されている。
【００１４】
特に図示例では、庇本体３が、相互に重合させた二枚の強化ガラス板３Ａ，３Ｂの周縁部３Ａｅ，３Ｂｅの相互間をその略全周に亘り（後述するリード線５の引出し部を除いて）接着剤等により一体に結着して構成される。そして、そのガラス板３Ａ，３Ｂの相対向面間には、前記周縁部３Ａｅ，３Ｂｅよりも内方側で、そのガラス板３Ａ，３Ｂよりも小さな矩形状に形成された液晶フィルムＬが一体的に挟着される。
【００１５】
その液晶フィルムＬの基端部（後述する透明電極）から延出するリード線５は、ガラス板３Ａ，３Ｂの合わせ面間を通して庇本体３の建物側の端部に引き出され、そこから更に外壁Ｗの貫通孔を通して室内Ｃに引き出される。そして、そのリード線５の引出し端末は、室内Ｃの壁面に設置されたスイッチ６ｓ付きの制御ボックス６内の通電回路（図示せず）に接続される。
【００１６】
従って、前記スイッチ６ｓを任意に操作することで、前記通電回路から液晶フィルムＬに通電される通電状態と、その通電が停止される非通電状態とが任意、選択的に切替えられる。
【００１７】
ところで前記液晶フィルムＬとして、本実施例では瞬間ブラインド機能を持つ市販の液晶フィルムが用いられる。即ち、その液晶フィルムＬは、対をなす透明電極（透明な導電性膜）間に、粒径が８〜１０μｍの微細な無数の液晶粒子が高分子混合物と共に分散状態で挟み込まれ、更にその透明電極の外側が薄い合成樹脂（例えばＰＥＴ）製の保護膜で覆われて全体として所定厚さの可撓性フィルム状に形成される。
【００１８】
そして、この液晶フィルムＬの透明電極間に電圧を加えると、前記液晶粒子の向きが同一方向に整列して、入射光が液晶粒子により散乱されなくなるため、液晶フィルムＬが透明となって、光透過率が大となる。また液晶フィルムＬの透明電極間への電圧印加を停止すると、前記液晶粒子の向きがバラバラになるため、入射光が各液晶粒子により散乱されて、液晶フィルムＬが白く濁ったように（即ち不透明に）見え、光透過率がかなり低下するが、一部の入射光は通すので完全な遮光状態とはならない。
【００１９】
このように液晶フィルムＬは、それへの通電状態では透明となって光透過率を大とし、また非通電状態では、不透明となって、入射光を十分には通さない（即ち光透過率が小の）状態となる。
【００２０】
前記固定装置Ｓは、庇本体３の基端部（建物側の端部）を外壁Ｗに支持させるべく庇本体３の基端部にその全長に亘り沿設される第１固定手段Ｓ１と、庇本体３の先部を外壁Ｗに支持させる複数の第２固定手段Ｓ２とを備える。
【００２１】
前記第１固定手段Ｓ１は、外壁Ｗに固着されたカバー１０ｃ付きの支持枠１０と、この支持枠１０内に固定の横断面コ字状の弾性受け部材１１とを備えており、その弾性受け部材１１内に庇本体３の基端部がその全長に亘り挿入されて弾性支持される。
【００２２】
前記第２固定手段Ｓ２は、外壁Ｗに一端が回動可能に軸支された有効長さ可変のアーム１２と、庇本体３の先部に固定されてその上方に起立し上端部に前記アーム１２の他端が枢支連結される支持片１３とより構成される。
【００２３】
その支持片１３の下部は二股状に分割されていて、その一対の分割脚部の下端は、鍔状に拡径された取付座１３ａに形成され、その取付座１３ａの下面は、庇本体３の上面にグロメット１６の上端鍔部を挟んで当接する。また前記取付座１３ａの下面中心部には、庇本体３及び液晶フィルムＬの各貫通孔を通して座付きボルト１５が下側から螺挿され、その座付きボルト１５の座面は、前記グロメット１６の下端鍔部を挟んで庇本体３の下面に当接している。前記グロメット１６は、弾性及び絶縁性を有する材料で円筒状に形成されており、その内周に前記ボルト１５が挿通され、またその外周が庇本体３及び液晶フィルムＬの各貫通孔に嵌合される。
【００２４】
前記アーム１２は、外壁Ｗに一端が回動可能に軸支された第１支持アーム１２ａと、前記支持片１３の上端部に一端が回動可能に軸支された第２支持アーム１２ｃと、その両支持アーム１２ａ，１２ｃの各他端に両端部がそれぞれ螺挿される連結ネジ棒１２ｂとを備える。従って、その連結ネジ棒１２ｂを回動操作することで、両支持アーム１２ａ，１２ｃの他端間の間隔を調整して、アーム１２の有効長さを任意に変更できる。
【００２５】
そして、そのアーム１２の有効長さを変更することで、庇本体３の先部の設置高さを図１の鎖線に示すように調整可能である。尚、この調整時に庇本体３の基端部の第１固定手段Ｓ１による支持角度も多少変化するが、その変化は、庇本体３の基端部を支持する弾性受け部材１１の弾性変形により無理なく吸収される。
【００２６】
次に前記実施例の作用を説明する。庇装置Ａの庇本体３は、予め工場等で、二枚の強化ガラス板３Ａ，３Ｂ間に液晶フィルムＬを挟み込んだ状態で、そのガラス板周縁部３Ａｅ，３Ｂｅの相互間をその略全周に亘り接着剤等により一体に結着して製作する。
【００２７】
そして、作業現場では、固定装置Ｓ（第１，第２固定手段Ｓ１，Ｓ２）を用いて前記庇本体３を所望の取付角度で建物の外壁Ｗに固定する。その際に、液晶フィルムＬの基端部から延出するリード線５は、外壁Ｗの貫通孔を通して室内Ｃに引き出され、さらに室内Ｃのスイッチ６ｓ付きの制御ボックス６内の通電回路（図示せず）に接続される。従って、そのスイッチ６ｓのスイッチ操作により、前記通電回路から液晶フィルムＬに通電される通電状態と、その通電が停止される非通電状態とが任意、選択的に切替えられる。
【００２８】
この場合、液晶フィルムＬは、前述のように通電状態では透明となって、光透過率が大となり、また非通電状態では不透明となって、入射光を十分には通過させない状態となる。従って、例えば夏場には、液晶フィルムＬを非通電状態にして不透明にしておくことにより、夏場の強い陽射しが窓２から室内Ｃに降り注ぐのを庇本体３（液晶フィルムＬ）により効果的に防止できて、冷房効果を高めることができ、暑さ対策上有効である。
【００２９】
また、冬場の昼間には、液晶フィルムＬを通電状態にして透明にしておくことにより、日照時間が少ない冬の弱い陽射しが庇本体３（液晶フィルムＬ）を通して窓２から室内Ｃにできるだけ長く当たるようにすることで、暖房効果を高めることができ、寒さ対策上有効である。
【００３０】
また陽が陰った夜間においても、液晶フィルムＬを非通電状態にして不透明にしておくことにより、階上からの視線を庇本体３（液晶フィルムＬ）により遮断可能としてプライバシー保護にも有効である。
【００３１】
このように液晶フィルムＬへの通電・悲通電のスイッチ切替えによりの、該液晶フィルムＬの光透過率を単に変更するだけで、単一の庇装置Ａの光透過機能を使用環境や状況に応じて簡単に切替えることができ、例えば夏場と冬場で陽射しの強さや長さの違いに応じて遮光機能を的確に切替え可能であり、また夜間のプライバシー保護にも有効である。その上、液晶フィルムＬは、それ自体が破れにくい性質を持つ上、それが平板状の庇本体３に一体的に接合されるため、実施例のように庇本体３をガラス板で形成したような場合でも、庇本体３が他物との衝突等に因り一気に破断することが効果的に抑制され、安全面でも有効である。
【００３２】
また実施例では、庇本体３が、相互に重合させた二枚のガラス板３Ａ，３Ｂの周縁部３Ａｅ，３Ｂｅをその全周に亘り一体に結着して構成され、その両ガラス板３Ａ，３Ｂの相対向面間に、それらより小型の前記液晶フィルムＬが挟着されるので、液晶フィルムＬを雨や埃等から有効に遮断することができると共に、他物との衝突から保護することができ、液晶フィルムＬの耐久性向上が図られる。
【００３３】
以上、本発明の実施例について説明したが、本発明はその実施例に限定されることなく、本発明の範囲内で種々の実施例が可能である。
【００３４】
例えば、前記実施例では、庇本体３を透明なガラス板で構成したが、本発明では、アクリル等の透明な合成樹脂製の平板で形成してもよい。また本発明の庇本体は、必ずしも透明である必要はなく、少なくとも光が通る透光性があればよい。
【００３５】
また前記実施例では、庇本体３を、相互に重合させた二枚の透光性板材（ガラス板３Ａ，３Ｂ）の二層構造としたものを示したが、本発明では、一枚の透光性板材（ガラス板）で庇本体を構成してもよく、この場合は、液晶フィルムＬをその一枚の透光性板材（ガラス板）の一面に一体的に接合させる。
【００３６】
また前記実施例では、液晶フィルムＬへの通電・非通電の切替えにより庇本体３の光透過率を段階的（二段）に切替えるようにしたものを示したが、本発明では、液晶フィルムＬへの通電電圧又は電流を連続的に調整することで、庇本体３の光透過率を連続的に変更できるようにしてもよい。
【図面の簡単な説明】
【００３７】
【図１】本発明の一実施例に係る庇装置の要部縦断面図（図２の１−１線拡大断面図）
【図２】前記庇装置の正面図（図１の２矢視図）
【図３】前記庇装置の平面図（図１の３矢視図）
【符号の説明】
【００３８】
Ａ・・・・庇装置
Ｌ・・・・液晶フィルム
Ｗ・・・・外壁
３・・・・庇本体
３Ａ，３Ｂ・・透光性板材としてのガラス板
３Ａｅ，３Ｂｅ・・周縁部
【図１】
2010007324.tif 000003
【図２】
2010007324.tif 000004
【図３】
2010007324.tif 000005